(57)【要約】【課題】使い勝手のよい変換装置または電話機を提供する。【解決手段】第１の通信インターフェイス１５０，１５１と、第２の通信インターフェイス１６０と、第１の通信インターフェイス１５０，１５１を介して取得したＤＴＭＦ信号に基づくデジタル情報を、変換装置１００の識別情報とともに、第２の通信インターフェイス１６０を用いてデータ送信する処理を実行するためのプロセッサ１１０とを備える、変換装置１００が提供される。【選択図】図２
2019092069.tif 000002
【特許請求の範囲】
【請求項１】
変換装置であって、
第１の通信インターフェイスと、
第２の通信インターフェイスと、
前記第１の通信インターフェイスを介して取得したＤＴＭＦ信号に基づくデジタル情報を、前記変換装置の識別情報とともに、前記第２の通信インターフェイスを用いてデータ送信する処理を実行するためのプロセッサとを備える、変換装置。
【請求項２】
第３の通信インターフェイスをさらに備え、
前記プロセッサは、前記第１の通信インターフェイスを介して取得した前記ＤＴＭＦ信号に基づいて、前記ＤＴＭＦ信号を前記第３の通信インターフェイスから出力するか、前記ＤＴＭＦ信号に基づくデジタル情報を前記変換装置の識別情報とともに前記第２の通信インターフェイスを用いてデータ送信するか、を切り替える、請求項１に記載の変換装置。
【請求項３】
第３の通信インターフェイスと、
切り替えスイッチとをさらに備え、
前記切り替えスイッチが第１の状態においては、前記ＤＴＭＦ信号を前記第３の通信インターフェイスから出力し、前記切り替えスイッチが第２の状態においては、前記ＤＴＭＦ信号に基づくデジタル情報を前記変換装置の識別情報とともに前記第２の通信インターフェイスを用いてデータ送信する、請求項１に記載の変換装置。
【請求項４】
前記ＤＴＭＦ信号に対応する数字および記号とデータ通信先との対応関係を記憶するためのメモリをさらに備え、
前記プロセッサは、前記変換装置の識別情報を利用しながら前記第２の通信インターフェイスを用いて、前記第１の通信インターフェイスを介して取得した前記ＤＴＭＦ信号に対応する数字または記号に対応するデータ通信先とデータ通信を行う、請求項１から３のいずれか１項に記載の変換装置。
【請求項５】
請求項１から４のいずれか１項に記載の変換装置を搭載する電話機。
【発明の詳細な説明】
【技術分野】
【０００１】
本発明は、電話機などの電気機器からの信号に基づいて、サーバや電気機器などの他の装置とデータ通信を行うための変換装置の技術に関する。
【背景技術】
【０００２】
従来から電話機と接続される装置が知られている。たとえば、特開平６−３１８２１８号公報（特許文献１）には、公衆電話回線を利用した商品発注用操作タブレット及びこれを用いた商品の発注、受注システムが開示されている。特許文献１によると、公衆電話回線網に接続して使用され、発注すべき商品を指定する複数の商品指定キーをボード本体に配列し、所定の商品指定キーを押圧操作したときには、操作したキーに応じた商品を指定する信号をトーン信号として出力できる構成となっている。
【０００３】
また、特開２０００−３１２２６２号公報（特許文献２）には、電話機による制御方法および装置が開示されている。特許文献２によると、ボタン電話機は、ボタンの押下によりボタン情報を送信する。ボタン情報抽出装置は、ボタン情報を取得すると有効な情報であるとコンピュータへ情報を送信する。コンピュータは、送信されてきた情報を変換テーブルから読み替える。読み替えた情報によりコンピュータは、アプリケーションなどの動作を行う。
【先行技術文献】
【特許文献】
【０００４】
【特許文献１】特開平６−３１８２１８号公報
【特許文献２】特開２０００−３１２２６２号公報
【発明の概要】
【発明が解決しようとする課題】
【０００５】
本発明の目的は、使い勝手のよい変換装置または電話機を提供することにある。
【課題を解決するための手段】
【０００６】
本発明のある態様に従うと、第１の通信インターフェイスと、第２の通信インターフェイスと、第１の通信インターフェイスを介して取得したＤＴＭＦ信号に基づくデジタル情報を、変換装置の識別情報とともに、第２の通信インターフェイスを用いてデータ送信する処理を実行するためのプロセッサとを備える、変換装置が提供される。
【発明の効果】
【０００７】
以上のように、本発明によれば、使い勝手のよい変換装置または電話機が提供される。
【図面の簡単な説明】
【０００８】
【図１】第１の実施の形態にかかるネットワークシステム１の全体構成と動作概要とを示すイメージ図である。
【図２】第１の実施の形態にかかる主に変換装置１００の構成を示すブロック図である。
【図３】第１の実施の形態にかかる管理サーバ３００の構成を示すブロック図である。
【図４】第１の実施の形態にかかる機器データ１２１を示す図である。
【図５】第１の実施の形態にかかる命令データ１２２を示す図である。
【図６】第１の実施の形態にかかるネットワークシステム１の第１のユースケースを示す図である。
【図７】第１の実施の形態にかかるネットワークシステム１の第２のユースケースを示す図である。
【図８】第２の実施の形態にかかる変換装置の外観を示すイメージ図である。
【図９】第２の実施の形態にかかる主に変換装置１００の構成を示すブロック図である。
【図１０】第２の実施の形態にかかる変換装置１００の動作を示すイメージ図である。
【図１１】第３の実施の形態にかかるネットワークシステム１の全体構成を示すイメージ図である。
【図１２】第３の実施の形態にかかる主に変換装置１００の構成を示すブロック図である。
【図１３】第４の実施の形態にかかる変換装置１００の外観を示すイメージ図である。
【発明を実施するための形態】
【０００９】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜ネットワークシステム１の全体構成と動作概要＞
【００１０】
まず、図１を参照して本実施の形態にかかるネットワークシステム１の全体構成について説明する。本実施の形態にかかるネットワークシステム１は、主に、電話機２００と、インターネット上の管理サーバ３００と、電話機２００からのＤＴＭＦ（Dual-Tone Multi-Frequency）信号をデジタル変換して管理サーバ３００とデータ通信するための変換装置１００と、ユーザからの各種の要求を受け付ける各種サーバ３００Ｂと、ユーザからの要求に応じて制御される各種の電気機器４００とを備える。
【００１１】
なお、信号を出力する装置は、電話機２００に限らず他の電気機器であってもよい。また、電気機器４００は、冷蔵庫、洗濯機、テレビ、エアコン、自走式掃除機などの家電、ハードディスクレコーダ、音楽プレーヤー、プロジェクタなどのＡＶ（オーディオ・ビジュアル）機器、太陽光発電機、インターホン、給湯器などの住宅設備、カーナビ、ドライブレコーダーなどの車載機器であってもよい。また、各種のサーバ３００Ｂは、ＥＣサイトを運営するためのものであってもよいし、家電制御用のサーバであってもよいし、タクシー会社や病院や公共機関などの各種サービスを提供する組織が利用するサーバなどであってもよい。
＜ネットワークシステム１の全体構成と動作概要＞
【００１２】
本実施の形態にかかるネットワークシステム１の動作概要について説明する。まず、ユーザが電話機２００のキー２６０を押すと、当該キー２６０に対応するＤＴＭＦ信号が出力される。変換装置１００は、電話機２００からのＤＴＭＦデータを受信すると、当該ＤＴＭＦデータをデジタルデータに変換し、当該変換データを管理サーバ３００に送信する。本実施の形態においては、変換装置１００は、自身の識別情報、たとえばＭＡＣアドレスやＩＰアドレスやＩＭＥＩ（International Mobile Equipment Identity）や本サービス専用の識別情報、などを変換データに追加して管理サーバ３００に送信する。管理サーバ３００は、変換装置１００からのデータを受信して、当該変換データから変換装置１００の識別情報と変換データとを取得して、当該変換データに対応するサービスを自身または他の各種サーバ３００Ｂまたは電気機器４００によって実現する。
【００１３】
すなわち、本実施の形態においては、ユーザが電話機２００に番号や記号を入力すると、変換装置１００によって当該番号や記号に対応するデータが管理サーバ３００に送信される。さらに換言すると、ユーザは、変換装置１００を利用することによって、通常の電話機２００を介して管理サーバ３００に各種のデータを入力することができるようになる。
【００１４】
以下、このような機能を実現するためのネットワークシステム１の具体的な構成について詳述する。
＜変換装置１００の構成＞
【００１５】
まず、本実施の形態にかかるネットワークシステム１を構成する変換装置１００の構成の一態様について説明する。図２を参照して、変換装置１００は、主たる構成要素として、ＣＰＵ（Central Processing Unit）１１０と、メモリ１２０と、信号入力部１５０と、通信モジュール１６０とを含む。
【００１６】
ＣＰＵ１１０は、メモリ１２０に記憶されているプログラムを実行することによって、変換装置１００の各部を制御する。たとえば、ＣＰＵ１１０は、メモリ１２０に格納されているプログラムを実行したり、メモリ１２０に記憶されているデータを参照したりして、各種の処理を実行する。
【００１７】
メモリ１２０は、ＲＡＭ（Random  Access  Memory）やＲＯＭ（Read-Only  Memory）などによって実現され、変換装置１００に内包されているものであってもよいし、変換装置１００の各種インターフェイスに着脱可能なものであってもよいし、変換装置１００からアクセス可能な他の装置の記録媒体であってもよい。メモリ１２０は、ＣＰＵ１１０によって実行されるプログラムや、変換装置１００が管理サーバ３００とデータ通信する際に利用する変換装置１００自身の識別情報、たとえばＭＡＣアドレスやＩＰアドレスやＩＭＥＩ（International Mobile Equipment Identity）や本サービス専用の識別情報などや、データ通信を行う際に接続するサーバ３００の通信アドレスなどを記憶する。
【００１８】
信号入力部１５０は、アンテナやコネクタなどによって実現され、電話機２００からのＤＴＭＦ信号が入力される。なお、電話機２００からの電話線をモデムから取り外して信号入力部１５０に容易に取り付けたり、当該電話線を信号入力部１５０から容易に取り外してモデムに取り付けたりできるように、電話線が容易に着脱できるようなコネクタが信号入力部１５０に含まれることが好ましい。
【００１９】
通信モジュール１６０は、ＷｉＦｉ（登録商標）やＢｌｕｅｔｏｏｔｈ（登録商標）などを利用して宅内のルータと無線通信するためのアンテナ、またはＷｉＦｉ（登録商標）などのアクセスポイントを介さずに直接的にキャリア網とデータ通信するためのＬＴＥモジュール、または宅内のルータなどと有線通信するためのコネクタなどを含む。
【００２０】
特に本実施の形態においては、ＣＰＵ１１０は、信号入力部１５０に入力されたＤＴＭＦ信号を、電話機２００への操作に対応する数字や記号に対応するデジタルデータに変換したり、メモリ１２０に記憶されている変換装置１００の識別情報を利用することによって通信モジュール１６０を介して当該変換されたデジタルデータを管理サーバ３００に送信したりするトーン信号デジタル変換部１１１を実現するものである。
＜サーバの構成＞
【００２１】
次に、図３を参照して、ネットワークシステム１を構成する管理サーバ３００の構成の一態様について説明する。管理サーバ３００は、主たる構成要素として、ＣＰＵ３１０と、メモリ３２０と、操作部３４０と、通信インターフェイス３６０とを含む。
【００２２】
ＣＰＵ３１０は、メモリ３２０に記憶されているプログラムを実行することによって、管理サーバ３００の各部を制御する。たとえば、ＣＰＵ３１０は、メモリ３２０に格納されているプログラムを実行したり、メモリ３２０に記憶されているデータを参照したりすることによって、各種の処理を実行する。
【００２３】
メモリ３２０は、ＲＡＭやＲＯＭなどによって実現され、管理サーバ３００に内包されているものであってもよいし、管理サーバ３００の各種インターフェイスに着脱可能なものであってもよいし、管理サーバ３００からアクセス可能な他の装置の記録媒体であってもよい。メモリ３２０は、ＣＰＵ３１０によって実行されるプログラムや、ＣＰＵ３１０によるプログラムの実行により生成されたデータ、外部から提供されるデータなどを記憶する。より詳細には、メモリ３２０は、たとえば、機器データ３２１や命令データ３２２などを記憶する。
【００２４】
ここで、図４を参照して、機器データ３２１は、登録される機器毎に、機器の識別情報や、機器の種類や、機器のユーザのＩＤと、機器の通信アドレスなどの対応関係を格納する。
【００２５】
また、図５を参照して、命令データ３２２は、変換データに含まれる数字や記号の組み合わせ毎に、命令の内容を格納する。なお、命令の内容には、当該命令を送信するサーバや電気機器などの他の装置の通信アドレス、たとえばＩＰアドレスやＭＡＣアドレスやＵＲＬや通信先を特定するためのその他の種類のアドレスなどや、当該他の装置に送信する制御命令や設定情報などが含まれる。また、命令データ３２２は、数字や記号の組み合わせ毎に、直接的に、命令の内容を格納するものであってもよいし、数字や記号の階層毎の、サービスの種類や、データの送信先の通信アドレスや、サービスの内容や、サービスの量・温度・時間などの設定値、などの入力規則を含むものであってもよい。
【００２６】
図３に戻って、操作部３４０は、サービスの管理者などの命令を受け付けて、当該命令をＣＰＵ３１０に入力する。
【００２７】
通信インターフェイス３６０は、ＣＰＵ３１０からのデータを、インターネット、キャリア網、ルータなどを介して変換装置１００や他のサーバ３００Ｂや電気機器４００などの他の装置に送信する。逆に、通信インターフェイス３６０は、インターネット、キャリア網、ルータなどを介して他の装置からのデータを受信してＣＰＵ３１０に受け渡す。
【００２８】
このように構成したので、ＣＰＵ３１０は、通信インターフェイス３６０を介して、変換装置１００からの変換装置１００の識別情報と変換データを受信して、当該変換データの数字または記号に対応するサービスを提供する。
【００２９】
なお、変換装置１００からの変換データは、１つの数字または記号であってもよいし、複数の数字または記号であってもよい。たとえば、最初の数字または記号の組み合わせが商品やサービスの種類を示したり、次の数字や記号の組み合わせが商品やサービスの内容を示したり、その次の数字や記号の組み合わせが商品やサービスの程度を示してもよい。
【００３０】
また、命令データ３２２は、複数の変換装置１００や複数のユーザに共通に準備されるものであってもよいし、変換装置１００やユーザ毎に別々のものが作成されてもよい。この場合は、ユーザは、管理サーバ３００が運営するホームページなどにユーザＩＤを入力することによってログインして、数字や記号と、サービスや商品の内容と、の組み合わせを自由に登録できることが好ましい。
【００３１】
より詳細には、たとえば、図６に示すように、本実施の形態にかかるネットワークシステム１は、勤怠管理サービスに利用することができる。具体的には、ユーザが電話機２００の受話器を持ち上げてテンキー２６０に１♯００７♯１２３４＊という数字と記号を順に入力していく。すると変換装置１００は、電話機２００からのＤＴＭＦ信号を、入力される順番に、１♯００７♯１２３４＊という数字や記号に対応するデジタルデータに変換していきながら、当該変換データを管理サーバ３００に送信していく。なお、変換装置１００は、変換装置１００の識別情報とともに１文字ずつ管理サーバ３００に送信してもよいし、変換装置１００の識別情報とともに複数文字ずつ管理サーバ３００に送信してもよい。
【００３２】
管理サーバ３００のＣＰＵ３１０は、変換装置１００の識別情報と変換データとに基づいて、最初の♯までの数字に基づいて勤怠管理サービスの出勤登録処理であることを特定し、勤怠管理サービスのサーバ３００Ｂに変換装置１００の識別情報と変換データとを転送する。勤怠管理サービスのサーバ３００ＢのＣＰＵ３１０は、次の♯までの数字に基づいて社員のＩＤを特定する。勤怠管理サービスのサーバ３００ＢのＣＰＵ３１０は、次の＊までの数字に基づいて社員のパスワードを受け付ける。勤怠管理サービスのサーバ３００ＢのＣＰＵ３１０は、ユーザ認証に成功すると、その時点での時刻を出勤時刻として登録する。なお、最初の数字が２の場合は、勤怠管理サービスにおける退社時刻の登録を行ってもよい。これによって、ユーザは、従来の電話機２００を利用して勤怠管理サービスを利用することができる。
【００３３】
あるいは、図７に示すように、本実施の形態にかかるネットワークシステム１は、ＥＣサイトでの商品の注文にも利用することができる。具体的には、ユーザが電話機２００の受話器を持ち上げてテンキー２６０に１０１♯００７♯２＊という数字と記号を入力する。変換装置１００は、電話機２００からのＤＴＭＦ信号を、１０１♯００７♯２＊という数字と記号に対応するデジタルデータに変換して、変換データを管理サーバ３００に送信する。
【００３４】
管理サーバ３００のＣＰＵ３１０は、変換装置１００の識別情報に基づいて変換装置１００のユーザを特定し、変換データの最初の♯までの数字に基づいてＥＣサービスを特定し、ＥＣサービスのサーバ３００Ｂに変換装置１００の識別情報と変換データとを転送する。ＥＣサービスのサーバ３００ＢのＣＰＵ３１０は、変換装置１００の識別情報に基づいてユーザを特定し、次の♯までの数字に基づいて商品を特定する。ＥＣサービスのサーバ３００ＢのＣＰＵ３１０は、次の＊までの数字に基づいて商品の個数を受け付ける。これによって、ユーザは、従来の電話機２００を利用して各種の商品を注文することができる。
【００３５】
あるいは、ネットワークシステム１は、変換装置１００が配置される家庭やオフィスの電気機器４００の制御にも利用することができる。具体的には、ユーザが電話機２００の受話器を持ち上げてテンキー２６０に１１♯００５♯３＊という数字と記号を入力する。変換装置１００は、電話機２００からのＤＴＭＦ信号を、１１♯００５♯３＊という数字と記号に対応するデジタルデータに変換して、変換データを管理サーバ３００に送信する。
【００３６】
管理サーバ３００のＣＰＵ３１０は、変換装置１００の識別情報に基づいて変換装置１００のユーザを特定し、変換データの最初の♯までの数字に基づいて家電制御サービスを特定し、家電制御サービスのサーバ３００Ｂに変換装置１００の識別情報と変換データとを転送する。家電制御サービスのサーバ３００ＢのＣＰＵ３１０は、変換装置１００の識別情報と最初の♯までの数字に基づいて変換装置１００のユーザに対応する制御対象の電気機器４００を特定し、次の♯までの数字に基づいて制御命令を特定する。家電制御サービスのサーバ３００ＢのＣＰＵ３１０は、次の＊までの数字に基づいて温度や強度やチャンネルなどの設定命令を受け付ける。なお、当然ながら、最初の♯までの数字に基づいて家電制御サービスと制御対象の機器の種類まで特定するものであってもよいし、最初のシャープまでの数字に基づいて家電制御サービスと制御対象の機器の種類と制御命令まで特定するものであってもよく、命令データ３２２を自由に設計することが可能である。
＜第２の実施の形態＞
【００３７】
第１の実施の形態の変換装置１００は、電話機２００からのＤＴＭＦ信号に基づいて、管理サーバ３００に変換データを送信するものであった。本実施の形態にかかる変換装置１００は、ユーザからの切り替え命令に基づいて、電話機２００からのＤＴＭＦ信号をそのまま電話用のモデムに転送したりモデムからのＤＴＭＦ信号を電話機２００に転送したりする通常の通話モードか、電話機２００からのＤＴＭＦ信号に基づいて管理サーバ３００に変換データを送信するデータ通信モードか、を切り替えることができるものである。
【００３８】
たとえば、図８に示すように、変換装置１００には、物理的な切り替えスイッチ１４０が取り付けられている。そして、図９に示すように、変換装置１００は、２つの信号入出力部１５１，１５２が取り付けられている。信号入出力部１５１，１５２は、アンテナやコネクタなどによって実現され、電話機２００やモデムとＤＴＭＦ信号のやり取りを行う。本実施の形態においては、信号入出力部１５１，１５２が、電話機２００への電話線やモデムまでの電話線を容易に着脱できるコネクタを含んでいる。
【００３９】
これによって、図１０に示すように、スイッチが通話モードに切り替えられたときは、ＣＰＵ１１０は、信号入出力部１５１に入力された信号をそのまま信号入出力部１５２から出力し、信号入出力部１５２に入力された信号をそのまま信号入出力部１５１から出力する。一方、スイッチがデータ通信モードに切り替えられたときは、ＣＰＵ１１０は、信号入出力部１５１，１５２に入力された信号を、電話機２００などの操作ボタンに対応する数字や記号を示すデジタルデータに変換して、変換装置１００の識別情報を利用して通信モジュール１６０から変換されたデジタルデータを管理サーバ３００に送信する。
【００４０】
なお、物理的なスイッチに限らず、タッチパネルのソフトウェアボタンによって切り替えスイッチを実現してもよいし、遠隔からの切り替え命令が入力される形態であってもよい。
【００４１】
さらには、電話機２００に最初に入力される数字や記号に基づいて、変換装置１００のＣＰＵ１１０が、通話モードとデータ通信モードとを切り替えてもよい。たとえば、ユーザが電話機２００の受話器を持ち上げてテンキー２６０に「１」を入力すると、変換装置１００のＣＰＵ１１０が電話機２００からの「１」に対応するＤＴＭＦ信号に応じて、管理サーバ３００とのデータ通信を開始してもよい。その後、ユーザが電話機に１♯００７♯１２３４＊という数字と記号とを入力した場合や、１０１♯００７♯２＊や１１♯００５♯３＊を入力した場合の処理は、第１の実施の形態と同様であるため、ここではそれらの説明を繰り返さない。一方、ユーザが電話機２００の受話器を持ち上げてテンキー２６０に「０」を入力すると、変換装置１００のＣＰＵ１１０が電話機２００からの「０」に対応するＤＴＭＦ信号に応じて、電話機２００とモデムとの間で通話信号やＤＴＭＦ信号のやり取りをそのまま転送する。
【００４２】
すなわち、本実施の形態においては、変換装置１００のＣＰＵ１１０が、切り替え判断部１１２をも実現するものである。さらに換言すれば、本実施の形態においては、電話機２００で１が押されてから１♯００７♯１２３４＊が入力される場合は変換装置１００と管理サーバ３００とのデータ通信が行われ、電話機２００で０が押されてから０８０１２３４５６７８が入力される場合は電話機２００による通常の通話が行われる。
＜第３の実施の形態＞
【００４３】
第１および第２の実施の形態においては、管理サーバ３００が、変換装置１００からの変換データに基づいて、サービスや商品の種類を特定したり、変換データの送信先を特定したり、するものであった。本実施の形態においては、変換装置１００が、サービスや商品の種類を特定したり、変換データの送信先を特定したり、するものである。すなわち、図１２に示すように、変換装置１００のメモリ１２０に、図５に示したような命令データ３２２に対応する命令データ１２２が記憶されるものである。命令データ１２２は、変換装置１００の出荷時に登録されていてもよいし、ユーザがカスタマイズできてもよい。そして、本実施の形態においては、変換装置１００のＣＰＵ１１０がサービス情報決定処理部１１３をも実現するものである。
【００４４】
すなわち、たとえば、本実施の形態にかかるネットワークシステム１においては、ユーザが電話機２００の受話器を持ち上げてテンキー２６０に１を入力すると、変換装置１００のＣＰＵ１１０が電話機２００からのＤＴＭＦ信号に対応する１というデータを受け付けて、管理サーバ３００とのデータ通信を開始する。ユーザが電話機２００のテンキー２６０に１♯００７♯１２３４＊という数字と記号を入力する。変換装置１００のＣＰＵ１１０は、電話機２００からのＤＴＭＦ信号を、１♯００７♯１２３４＊という数字と記号に対応するデジタルデータに変換する。ＣＰＵ１１０は、命令データ１２２を参照して、最初の♯までの数字に基づいて勤怠管理サービスを特定し、勤怠管理サービスのサーバ３００Ｂに変換装置１００の識別情報と変換データを転送する。勤怠管理サービスのサーバ３００ＢのＣＰＵ３１０は、次の♯までの数字に基づいて社員のＩＤを特定する。勤怠管理サービスのサーバ３００ＢのＣＰＵ３１０は、次の＊までの数字に基づいて社員のパスワードを受け付ける。勤怠管理サービスのサーバ３００ＢのＣＰＵ３１０は、ユーザ認証に成功すると、その時点での時刻を出勤時刻として登録する。なお、最初の数字が２の場合は、勤怠管理サービスにおける退社時刻の登録を行ってもよい。
＜第４の実施の形態＞
【００４５】
第１から第３の実施の形態においては、電話機２００などのＤＴＭＦ信号を出力する装置を変換装置１００の信号入出力部１５０，１５１，１５２に接続するものであった。しかしながら、図１３に示すように、電話機２００自体が、内部に変換装置１００を搭載してもよい。
＜第５の実施の形態＞
【００４６】
上記の実施の形態のネットワークシステム１の各装置の役割の一部または全部を他の装置が実行してもよい。たとえば、変換装置１００や電話機２００や管理サーバ３００や他のサーバ３００Ｂや電気機器４００の各々の役割の一部または全部を別の装置が担ったり、変換装置１００や電話機２００や管理サーバ３００や他のサーバ３００Ｂや電気機器４００の各々の役割の一部または全部を複数の装置で担ったりしてもよい。たとえば、管理サーバ３００と家電制御用のサーバ３００Ｂとが同じ装置であってもよいし、管理サーバ３００やＥＣサイトのサーバ３００Ｂがいずれもクラウド上の複数のサーバによって実現されてもよい。
＜まとめ＞
【００４７】
上記の実施の形態においては、第１の通信インターフェイス１５０，１５１と、第２の通信インターフェイス１６０と、第１の通信インターフェイス１５０，１５１を介して取得したＤＴＭＦ信号に基づくデジタル情報を、変換装置１００の識別情報とともに、第２の通信インターフェイス１６０を用いてデータ送信する処理を実行するためのプロセッサ１１０とを備える、変換装置１００が提供される。
【００４８】
好ましくは、変換装置１００は、第３の通信インターフェイス１５２をさらに備える。プロセッサ１１０は、第１の通信インターフェイス１５０，１５１を介して取得したＤＴＭＦ信号に基づいて、ＤＴＭＦ信号を第３の通信インターフェイス１５２から出力するか、ＤＴＭＦ信号に基づくデジタル情報を変換装置１００の識別情報とともに第２の通信インターフェイス１６０を用いてデータ送信するか、を切り替える。
【００４９】
好ましくは、変換装置１００は、第３の通信インターフェイス１５２と、切り替えスイッチ１４０とをさらに備える。変換装置１００は、切り替えスイッチ１４０が第１の状態においては、ＤＴＭＦ信号を第３の通信インターフェイス１５２から出力し、切り替えスイッチ１４０が第２の状態においては、ＤＴＭＦ信号に基づくデジタル情報を変換装置１００の識別情報とともに第２の通信インターフェイス１６０を用いてデータ送信する。
【００５０】
好ましくは、変換装置１００は、ＤＴＭＦ信号に対応する数字および記号とデータ通信先との対応関係を記憶するためのメモリ１２０をさらに備える。プロセッサ１１０は、変換装置１００の識別情報を利用しながら第２の通信インターフェイス１６０を用いて、第１の通信インターフェイス１５０，１５１を介して取得したＤＴＭＦ信号に対応する数字または記号に対応するデータ通信先とデータ通信を行う。
【００５１】
好ましくは、変換装置１００は、ＤＴＭＦ信号に基づくデジタル情報を変換装置１００の識別情報とともに第２の通信インターフェイス１６０を用いてデータ送信した後に、当該送信したＤＴＭＦ信号に基づく処理が行われた結果を音声情報によりユーザに報知できることが好ましい。つまり、図６に関しては、勤怠処理を受け付けた結果として、「ＩＤ００７、出勤時刻０9時０１分」や、図７に関しては、「ＥＣサイト、Kitchen wrap 5M*61cm 商品２個  購入」というように、受話器から報知され、ユーザがボタンを押したことによる実行結果を容易に確認することができる。つまり、変換装置１００であって、第１の通信インターフェイス１５０，１５１，１５２と、第２の通信インターフェイス１６０と、第１の通信インターフェイス１５０，１５１，１５２を介して取得したＤＴＭＦ信号に基づくデジタル情報を、変換装置１００の識別情報とともに、第２の通信インターフェイス１６０を用いてデータ送信する処理を実行するためのプロセッサ１１０とを備える。変換装置１００は、さらに、データ送信の結果情報を、第２の通信インターフェイス１６０で受信し、続いて、結果情報を、第１の通信インターフェイス１５０，１５１，１５２を介して、音声情報として他の機器、たとえばスピーカを有する電話機２００など、送信することを特徴とする。
【００５２】
上記の変換装置１００を搭載する電話機２００が提供される。
【００５３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００５４】
１        ：ネットワークシステム
１００    ：変換装置
１１０    ：ＣＰＵ
１１１    ：トーン信号デジタル変換部
１１２    ：切り替え判断部
１１３    ：サービス情報決定処理部
１２０    ：メモリ
１２１    ：機器データ
１２２    ：命令データ
１４０    ：切り替えスイッチ
１５０    ：信号入力部
１５１    ：信号入出力部
１５２    ：信号入出力部
１６０    ：通信モジュール
２００    ：電話機
２６０    ：テンキー
３００    ：管理サーバ
３００Ｂ  ：サーバ
３１０    ：ＣＰＵ
３２０    ：メモリ
３２１    ：機器データ
３２２    ：命令データ
３４０    ：操作部
３６０    ：通信インターフェイス
４００    ：電気機器
【図１】
2019092069.tif 000003
【図２】
2019092069.tif 000004
【図３】
2019092069.tif 000005
【図４】
2019092069.tif 000006
【図５】
2019092069.tif 000007
【図６】
2019092069.tif 000008
【図７】
2019092069.tif 000009
【図８】
2019092069.tif 000010
【図９】
2019092069.tif 000011
【図１０】
2019092069.tif 000012
【図１１】
2019092069.tif 000013
【図１２】
2019092069.tif 000014
【図１３】
2019092069.tif 000015